(57)【要約】【課題】ドアライニング、サイドライニングにおけるポケット構造であって、ポケット内に収容する仕切りプレートとポケット内壁面との間の合わせ精度を高めるとともに、ポケット内の美観を高める。【解決手段】ドアライニング１０に形成されるドアポケット３０は、ドアライニング本体２０の表面所定位置にポケットカバー４０を取り付けて構成される。そして、このドアポケット３０内部に装着される仕切りプレート５０は、一方側の端縁部５０ｂに差込片５４を設け、ポケットカバー４０内面の差込孔４３内に差込固定する差込構造を採用する一方、他方側の端縁部５０ｃについては、ドアライニング本体２０との間で相互に凹凸嵌合するガイド構造を採用することで、ポケット内壁面３１ａ，３１ｂと仕切りプレート５０との間の合わせ精度を高め、ドアポケット３０の奥行幅寸法Ｌが変動しても、脱落や変形を防止する。【選択図】図４
2006312340.tif 000002
【特許請求の範囲】
【請求項１】
車体パネルの室内面に装着される内装用ライニング（１０）に備品を収容するポケット（３０）が形成され、このポケット（３０）内に仕切りプレート（５０）を収容支持した内装用ライニング（１０）におけるポケット構造であって、
前記仕切りプレート（５０）は、ポケット内壁面（３１ａ，３１ｂ）に対向する端縁部（５０ｂ，５０ｃ）において、一方側の端縁部（５０ｂ）はポケット内壁面（３１ａ）に設けられた差込孔（４３）に挿着される差込片（５４）を形成した差込構造が採用されているとともに、他方側の端縁部（５０ｃ）については、ポケット内壁面（３１ｂ）に対して相互に凹凸状に嵌合するガイド構造が採用されていることにより、ポケット（３０）の奥行幅寸法（Ｌ）が変動しても、仕切りプレート（５０）の脱落、あるいは変形が回避されることを特徴とする内装用ライニングにおけるポケット構造。
【請求項２】
前記仕切りプレート（５０）の一方側の端縁部（５０ｂ）に設けられる差込片（５４）は可撓性を有しており、ポケット内壁面（３１ａ）に設けられた差込孔（４３）に対して、弾性変形することで係着するとともに、差込孔（４３）に係着された差込片（５４）は、抜け止め用の係止爪（５４ａ）を備えていることを特徴とする請求項１に記載の内装用ライニングにおけるポケット構造。
【請求項３】
前記仕切りプレート（５０）の他方側の端縁部（５０ｃ）に採用されているガイド構造において、ポケット内壁面（３１ｂ）には、内部スペース側に僅かに突出する凸条（２６）が上下方向に沿って延びており、仕切りプレート（５０）の他方側の端縁部（５０ｃ）には、上記凸条（２６）を被覆するように凹凸嵌合するカバー部（５５）が設けられていることを特徴とする請求項１又は２に記載の内装用ライニングにおけるポケット構造。
【発明の詳細な説明】
【技術分野】
【０００１】
この発明は、内装用ライニングにおけるポケット構造に係り、特に、ポケット内部に仕切りプレートを配置することで、カップホルダ用スペースと小物入れ用スペースとを区画できるとともに、ポケットの奥行幅寸法が変動しても、仕切りプレートの脱落、あるいは変形を防止することができ、しかも、ポケット内の外観見栄えを高めた内装用ライニングにおけるポケット構造に関する。
【背景技術】
【０００２】
図１１は、運転席側のドアパネルの室内面側に取り付けられるドアライニング１を示す外観図であり、このドアライニング１は、車室内の美観を向上させる機能を備えるとともに、側突時等、撓み変形する一方、裏面側に設置されている衝撃吸収パッドの衝撃吸収作用により衝撃荷重の一部を吸収し、乗員の保護を図る機能を備えている。
【０００３】
また、このドアライニング１は、図示しないドアパネルの室内面に取り付けられるドアライニング本体２の表面にアームレスト３やスピーカグリル４等の機能部品を取り付けて構成されており、アームレスト３の下方には、ポケットカバー５が取着されてドアポケット６が設けられている。上記ポケットカバー５は、図１２に示すように、取付用ボス５ａをドアライニング本体２の取付孔２ａ内に挿入して先端をカシメ加工することで、ドアライニング本体２にポケットカバー５が取り付けられている。
【０００４】
更に、上記ドアポケット６の使い勝手を高めるために、ドアポケット６の内部スペースをカップ類やペットボトル等を収容するカップホルダ用スペース６Ａと、地図、雑誌類、小物等を収容する小物入れ用スペース６Ｂとに区画する仕切りプレート７が図１２中矢印方向に差し込まれ、ドアポケット６内に装着されている。そして、この仕切りプレート７の支持構造としては、ドアポケット６のポケット内壁面にそれぞれレール状のガイド溝８ａ，８ｂが形成されており、このガイド溝８ａ，８ｂに仕切りプレート７の端末を差し込むことで仕切りプレート７がスライド自在に支持され、ドアポケット６のポケットスペースを適宜区画形成するようにしている（例えば、特許文献１参照。）。
【０００５】
【特許文献１】実開平５−４９５０４号公報
【発明の開示】
【発明が解決しようとする課題】
【０００６】
このように、従来のドアライニング１におけるドアポケット６では、ドアポケット６の内部スペースを仕切る仕切りプレート７の支持構造としては、仕切りプレート７の端末をポケット内壁面に形成したガイド溝８ａ，８ｂ内に通すという構成であるため、例えば、長期使用、あるいは外部からの衝撃により、ポケットカバー５に変形が生じた際、ガイド溝８ａ，８ｂと仕切りプレート７との間に隙間が生じ、両者の合わせ精度が悪化することから、ガタツキ音等の不快音が発生し易く、最悪の場合は、仕切りプレート７が脱落する等の不具合が指摘されている。
【０００７】
更に、ドアポケット６のポケット内壁面に形成するガイド溝８ａ，８ｂは、仕切りプレート７の厚みに相当する狭い幅であり、このガイド溝８ａ，８ｂを成形する際の成形金型の加工が面倒であるとともに、仕切りプレート７を外して大きなスペースの物入れ空間として使用する際には、このガイド溝８ａ，８ｂが外部に目立ち、美観の低下を招くとともに、この部位は絞模様等を転写することが難しく、ポケット内壁面の一般部とでは違和感があることから、ドアポケット６内部の外観見栄えを向上させることが急務とされていた。
【０００８】
また、合わせを向上させるために、仕切りプレート７をポケットカバー５やドアライニング本体２と一体化する固定構造を採用した場合には、ドアポケット６においてカップホルダ用スペース６Ａと小物入れ用スペース６Ｂとを共有化することができず、使い勝手が悪くなると同時に、ポケットカバー５等が破損した場合には、仕切りプレート７も一体に破損するという欠点が指摘されている。
【０００９】
この発明は、このような事情に鑑みてなされたもので、ドアライニング、サイドライニング等の内装用ライニングに設けられるポケット構造であって、特に、ポケット内に仕切りプレートを配置して、カップホルダ用スペースと小物入れ用スペースとに区画できるポケット構造において、仕切りプレートの支持構造を改良することで、仕切りプレートの使用時、非使用時を問わず、ポケット内の外観見栄えを高めることができるとともに、長期使用や側突等によっても、仕切りプレートが変形、あるいは脱落することがなく、常に安定して仕切りプレートを支持できる内装用ライニングにおけるポケット構造を提供することを目的とする。
【課題を解決するための手段】
【００１０】
上記目的を解決するために、本発明は、車体パネルの室内面に装着される内装用ライニングに備品を収容するポケットが形成され、このポケット内に仕切りプレートを収容支持した内装用ライニングにおけるポケット構造であって、前記仕切りプレートは、ポケット内壁面に対向する端縁部において、一方側の端縁部はポケット内壁面に設けられた差込孔に挿着される差込片を形成した差込構造が採用されているとともに、他方側の端縁部については、ポケット内壁面に対して相互に凹凸状に嵌合するガイド構造が採用されていることにより、ポケットの奥行幅寸法が変動しても、仕切りプレートの脱落、あるいは変形が回避されることを特徴とする。
【００１１】
ここで、内装用ライニングは、ドアライニング、リヤサイドライニング、ラゲージサイドライニング等に適用できる。そして、内装用ライニングにポケットを形成するには、ライニング本体表面の所定箇所にポケットの前面壁を構成するカバー体を装着し、このカバー体の内面とライニング本体表面との間で画成されるスペースを有するポケットを形成するか、あるいは、ライニング本体にポケット用開口を開設し、その背面側にポケットバックカバーを取り付けることで、所定スペースを有するポケットを形成することもできる。
【００１２】
次いで、ポケット内をカップホルダ用スペースと小物入れ用スペースとに区画するために使用する仕切りプレートは、ポリプロピレン（ＰＰ）系樹脂、ポリエチレン（ＰＥ）系樹脂、ＡＢＳ（アクリロニトリル／ブタジエン／スチレン）樹脂等の汎用の熱可塑性樹脂を素材とした合成樹脂成形体から構成されており、射出成形工法等により所要形状に成形されている。また、１枚の仕切りプレートをポケット内部に差し入れることでポケット内を２分割するか、あるいは２枚の仕切りプレートをポケット内に差し込むことで、ポケット内を３つのスペースに区画することができる。
【００１３】
そして、この仕切りプレートの支持構造としては、仕切りプレートのポケット内壁面と対向する端縁部の一方側には、ポケット内壁面の差込孔に差込固定する差込片を仕切りプレートの端縁部に設けた差込構造を採用するとともに、端縁部の他方側についてはポケット内壁面と仕切りプレートの端縁部との間で凹凸状に嵌合するガイド構造が採用されている。
【００１４】
従って、本発明によれば、ポケットの内部スペースを区画する仕切りプレートの支持構造として、仕切りプレートにおける一方側の端縁部は、ポケット内壁面に設けた差込孔に差込固定する差込片を形成した差込構造が採用されているとともに、他方側の端縁部は、ポケット内壁面に対して相互に凹凸状に嵌合するガイド構造が採用されているため、例えば、ポケットの各壁部を構成する部材が変形した際、ポケットの奥行幅寸法が変動しても、差込構造により本体側と仕切りプレートとが一体化しているため、仕切りプレートが脱落することがなく、また、ポケットの奥行幅寸法に変動が生じても、差込片の撓み変形により、両者の合わせを良好に維持できる。
【００１５】
次いで、本発明の好ましい実施の形態においては、前記仕切りプレートの一方側の端縁部に設けられる差込片は可撓性を有しており、ポケット内壁面に設けられた差込孔に対して、弾性変形することで係着するとともに、差込孔に係着された差込片は、抜け止め用の係止爪を備えていることを特徴とする。
【００１６】
そして、この実施の形態によれば、仕切りプレートの一方側の端縁部に設けられる差込片は、可撓性を備えた差込片であり、かつこの差込片には、抜け止め用の係止爪が形成されているため、ポケット内に仕切りプレートを装着する際、差込片の可撓性を利用して、ワンタッチで簡単に取り付けることができるとともに、一旦取り付ければ、係止爪が抜け止め機能を発揮して、安定した取付態様が得られるとともに、外部からの衝撃が加わっても、この差込片の撓み変形作用で衝撃を有効に吸収することができる。
【００１７】
次に、本発明の好ましい実施の形態においては、前記仕切りプレートの他方側の端縁部に採用されているガイド構造において、ポケット内壁面には、内部スペース側に僅かに突出する凸条が上下方向に沿って延びており、仕切りプレートの他方側の端縁部には、上記凸条を被覆するように凹凸嵌合するカバー部が設けられていることを特徴とする。
【００１８】
そして、この実施の形態によれば、ポケット内壁面には、内部スペース側に僅かに突出する凸条が上下方向に沿って条設されるとともに、この凸条を隠すように、仕切りプレートの端縁部に沿ってカバー部が形成されているため、例えば、仕切りプレート使用時においては、ポケット内壁面の凸条は仕切りプレートのカバー部に被覆されているため、外観見栄えが低下することがないとともに、仕切りプレートを取り外した状態では、ポケット内壁面の凸条はかすかに突出しているだけであり、絞模様等も凸条の表面に形成することができることから、ポケット内壁面の一般部との間に違和感がそれ程認められない。
【発明の効果】
【００１９】
以上説明した通り、本発明に係る内装用ライニングにおけるポケット構造は、ポケット内に装着される仕切りプレートにおける端縁部の一方側はポケット内壁面に対して差込構造が採用され、他方側はガイド構造が採用されている。従って、ポケットの長期使用、あるいは外部からの衝撃によりポケットを構成する各部材に変形が生じ、ポケットの奥行幅寸法に変化が生じても、差込片の差込構造により、仕切りプレートがポケット内に支持されているため、仕切りプレートとポケット内壁面との間の合わせが低下することがなく、仕切りプレートの脱落を可及的に防止できる等、仕切りプレートの取付安定性を高めることができるという効果を有する。
【００２０】
更に、本発明に係るポケット構造に使用する仕切りプレートにおける差込片は、可撓性を備える構成とし、かつ抜け止め用の係止爪を差込片の先端に形成しておけば、仕切りプレートの取り付けがワンタッチで可能となり、更に外部からの衝撃等が加わった際、差込孔に係着している差込片の撓み変形により衝撃荷重を有効に吸収することができ、本体側が破損しても仕切りプレートにその破損が波及することがないため、仕切りプレートの耐久性を高めることができるという効果を有する。
【００２１】
また、本発明に係るポケット構造では、仕切りプレートの他方側の端縁部に設けるガイド構造として、ポケット内壁面側に上下方向に沿って延びる内部スペース側に僅かに突出する凸条を形成する一方、仕切りプレートには、上記凸条の表面を被覆するカバー部を設けるという構成を採用すれば、仕切りプレートの使用時には、このカバー部により端末部の外観を良好に維持できるとともに、仕切りプレートを取り外した状態では、凸条は内部スペース側に僅かに突出した形状であるため、成形金型の型加工が簡単に済み、かつ絞転写も可能であり、かつ従来のレール状のガイド溝に比べポケット内壁面の一般部との間に外観上の違和感がそれ程なく、ポケット内部の体裁を良好に維持できるという効果を有する。
【発明を実施するための最良の形態】
【００２２】
以下、本発明に係る内装用ライニングにおけるポケット構造の実施例について、添付図面を参照しながら詳細に説明する。尚、念のため付言すれば、本発明の要旨は特許請求の範囲に記載した通りであり、以下に説明する実施例の内容は本発明の一例を示すに過ぎない。
【実施例】
【００２３】
図１乃至図１０は本発明に係る内装用ライニングにおけるポケット構造の一実施例を示す。図１は本発明をドアポケットに適用したドアライニングを示す外観図、図２は同ドアライニングの構成を示す断面図である。また、図３乃至図５は同ドアライニングにおけるドアポケットの構成を示すもので、図３はドアライニング本体とポケットカバーの関係を示す説明図、図４はポケットカバーの内面と仕切りプレートとの関係を示す説明図、図５は仕切りプレートの取付作業手順を示す説明図である。更に、図６乃至図８はドアポケットと仕切りプレートとの関係を示すもので、図６は仕切りプレートの支持構造を示す断面図、図７は仕切りプレートの支持構造を示す外観図、図８は仕切りプレートの差込構造及びガイド構造を示す説明図である。また、図９，図１０は本発明に係るポケット構造の変形例を示すもので、図９は仕切りプレートの取付支持構造を示す断面図、図１０は仕切りプレートの差込構造とガイド構造を示す説明図である。
【００２４】
まず、図１，図２において、ドアパネルの室内面側に内装用ライニングとしてドアライニング１０が装着されている。このドアライニング１０は、所望の曲面形状に成形されたドアライニング本体２０をベースとしており、このドアライニング本体２０は、ＰＰ、ＰＥ、ＡＢＳ樹脂等、汎用の合成樹脂の射出成形体、あるいはモールドプレス成形体から構成されており、所望ならば、表面に織布、不織布、合成樹脂シート等の表皮を貼付する積層構造体を使用しても良い。
【００２５】
そして、このドアライニング本体２０の表面中央には、乗員が肘を掛けて休めるようにアームレスト２１がドアライニング本体２０と一体、あるいは別体に設けられており、このアームレスト２１の上面には、パワーウインドウスイッチやドアロックスイッチ等のスイッチユニット２２が配備され、その隣接箇所にプルハンドル２３が設けられている。また、ドアライニング本体２０のフロント側の下部には、スピーカグリル２４がドアライニング本体２０と一体、あるいは別体に設けられている。
【００２６】
更に、本発明に係るドアライニング１０では、ドアライニング本体２０にドアポケット３０が設けられている。この実施例では、ドアポケット３０の構成として、ドアライニング本体２０の表面側に合成樹脂成形体からなるポケットカバー４０を取着して構成され、更に、このドアポケット３０内に仕切りプレート５０を差込み装着することで、ドアポケット３０の内部スペースをカップホルダ用スペース３０Ａと小物入れ用スペース３０Ｂとに区画して、使い勝手を高める構成が採用されている。ポケットカバー４０としては、ドアライニング本体２０と同一の材料でも、異なった材料を使用しても良く、本実施例では合成樹脂の射出成形体を使用している。
【００２７】
次に、ポケットカバー４０の取付構造について説明する。ポケットカバー４０の裏面の適宜箇所に立設された取付用ボス４１をドアライニング本体２０の取付孔２５内に差し込み、取付用ボス４１の先端を超音波溶着加工、熱溶着加工等のカシメ加工により固着するか、あるいはプッシュオンフィックス等の機械式固定具を介して固着することで、ポケットカバー４０をドアライニング本体２０の表面所定位置に取り付けて、ドアポケット３０を形成している。ここで、ドアポケット３０の内壁面（手前側）３１ａとしては、ポケットカバー４０の内面側が相当し、ドアポケット３０の内壁面（奥側）３１ｂとしては、ドアライニング本体２０の表面が相当する。尚、ドアポケット３０の別の実施例としては、図示はしないが、ライニング本体２０にポケット用開口を開設し、このポケット用開口の背面側にポケットバックカバーを裏当て式に装着することでドアポケット３０を構成するようにしても良い。
【００２８】
そして、本発明は、ドアポケット３０の内部に仕切りプレート５０を配置させることで、ドアポケット３０の内部スペースをカップホルダ用スペース３０Ａと小物入れ用スペース３０Ｂとに区画でき、所望ならば、仕切りプレート５０を取り外し、大容量の物入れスペースを確保することにより、使い勝手を高めることができる。更に、仕切りプレート５０の支持構造を改良することで、ライニング本体２０やポケットカバー４０に変形が生じても、仕切りプレート５０と、ポケット内壁面３１ａ，３１ｂとの間の合わせ精度が良好に維持でき、仕切りプレート５０が脱落することがなく、更に、仕切りプレート５０の有無にかかわらずドアポケット３０内部の外観見栄えを常に良好に維持できることが特徴である。
【００２９】
次いで、ドアポケット３０、仕切りプレート５０の構成、及び仕切りプレート５０の取付作業手順について説明する。この実施例では、ドアポケット３０は、ドアライニング本体２０の表面所定箇所にポケットカバー４０が取付用ボス４１の超音波溶着カシメ加工により取り付けられており、ポケットカバー４０の内面とドアライニング本体２０の表面の一部をそれぞれポケット内壁面３１ａ，３１ｂとして、双方の間で画成されるスペースがドアポケット３０の内部スペースとして有効に使用されるとともに、この実施例では、ドアポケット３０に１枚もしくは２枚の仕切りプレート５０が装着されてドアポケット３０のポケット空間を２分割、３分割可能に構成されている。
【００３０】
まず、図３に示すように、ドアライニング本体２０には、ドアポケット３０の設定箇所（ポケット内壁面３１ｂに相当）で、かつ仕切りプレート５０の装着箇所において、内部スペース側に僅かに突出する凸条２６が上下方向に沿って条設されている。そして、これと対応するように、ポケットカバー４０の内面（ポケット内壁面３１ａに相当）には、取付座４２が水平方向に延びるように立設され、この取付座４２に差込孔４３が開設されている（図４参照）。
【００３１】
次に、ドアポケット３０内に装着される仕切りプレート５０は、ＰＰ、ＰＥ、ＡＢＳ樹脂等、汎用の合成樹脂の射出成形体から構成され、図３，図４から明らかなように、フラットなプレート本体５１の上縁部５０ａに沿って波型フランジ５２が形成されている。この波型フランジ５２は、ペットボトル等の外周面とフィットすることで、ペットボトル等を安定して収容する役目をする。また、仕切りプレート５０の手前側の端縁部（ポケットカバー４０の内壁面３１ａと対向する端縁部）５０ｂは、所定幅の手前側フランジ５３が形成され、この手前側フランジ５３と一体化して、先端が下方向を向く差込片５４が形成されており、この差込片５４は、図４に示すように、ポケットカバー４０の取付座４２の差込孔４３内に差込固定される。一方、仕切りプレート５０の他方側の端縁部（ドアライニング本体２０のポケット内壁面３１ｂと対向する端縁部）５０ｃについては、図３で示す凸条２６と嵌合する長尺キャップ状のカバー部５５が形成されており、ドアライニング本体２０の凸条２６と、仕切りプレート５０におけるカバー部５５との間の凹凸嵌合作用により、仕切りプレート５０の他方側の端縁部５０ｃについては、円滑にポケット内壁面３１ｂに沿ってガイドされる。
【００３２】
従って、ドアポケット３０内に仕切りプレート５０を装着するには、図５中矢印で示すように、仕切りプレート５０を下方向にスライドさせて、ドアライニング本体２０の凸条２６を仕切りプレート５０のカバー部５５で被覆しながら、仕切りプレート５０の一方側の端縁部５０ｂに設けられている差込片５４をポケットカバー４０の差込孔４３内に挿入することで、仕切りプレート５０をドアポケット３０内部に簡単に取り付けることができる。
【００３３】
図６乃至図８は、ドアポケット３０内に仕切りプレート５０を取り付けた状態を示しており、例えば、長期使用によりドアライニング本体２０、あるいはポケットカバー４０が変形したり、あるいは側突等によりドアライニング本体２０やポケットカバー４０に応力が加わった場合、ドアポケットの奥行幅寸法（図６中Ｌで示す）に変動が生じるが、従来の仕切りプレートの支持構造であれば、ガイド溝のレール内に端縁部分を通しただけであるため、仕切りプレートの脱落や変形等が生じるという不具合が指摘されていたが、本実施例においては、仕切りプレート５０の一方側の端縁部５０ｂについては、差込片５４による差込構造が採用され、他方側の端縁部５０ｃについては、凹凸嵌合によるガイド構造が採用されているため、差込片５４が差込孔４３内で確実に係着支持されているとともに、差込片５４の撓み作用も期待できることから、ドアポケット３０のポケット内壁面３１ａ，３１ｂと仕切りプレート５０との間の合わせ精度が低下することがなく、ガタツキ音等の不快音が生じないばかりか、仕切りプレート５０が脱落することもない。。
【００３４】
更に、図７，図８に示すように、仕切りプレート５０の他方側の端縁部５０ｃに沿っては、ポケット内壁面３１ｂを構成するドアライニング本体２０に突設されている凸条２６の表面を仕切りプレート５０のカバー部５５で被覆するという構成であるため、仕切りプレート５０を使用して、ドアポケット３０内部のスペースを区画する使用形態においては、ポケット内壁面３１ｂの凸条２６を仕切りプレート５０により隠すことができ、外観見栄え上好ましいとともに、この仕切りプレート５０を取り外し、広い物入れスペースを確保した使用形態においては、上記凸条２６が露出するものの、この凸条２６は、内部スペース側に僅かに突出しているだけであり、ポケット内壁面３１ｂの一般部の外観に比べそれ程違和感を与えるものではなく、凸条２６の表面に絞模様を簡単に転写できる等、ドアポケット３０内の見栄えを良好に維持できる。
【００３５】
このように、本実施例における仕切りプレート５０の支持構造は、仕切りプレート５０における一方側の端縁部５０ｂについては、差込片５４を使用した差込構造を採用するとともに、他方側の端縁部５０ｃについては、仕切りプレート５０のカバー部５５でポケット内壁面３１ｂの凸条２６を被覆するという構成を採用したため、仕切りプレート５０の合わせ精度を常に良好に維持でき、ポケットカバー４０等に変形が生じても、仕切りプレート５０が脱落することがなく、安定した取付態様を長期に亘り保証することができる。更に、ドアポケット３０内の見栄えについても、従来のものに比べ意匠性を高めることができるとともに、側突等の衝撃が加わった際にも破損を未然に防止できる等の種々の利点を備えている。
【００３６】
次いで、図９，図１０は、本発明に係るポケット構造の変形例を示すもので、仕切りプレート５０のガイド構造について、ドアライニング本体２０の表面にガイドレール２７を形成し、仕切りプレート５０の他方側の端縁部５０ｃについては、このガイドレール２７に挟み込むように装着する構成が採用されている。そして、この変形例においては、ガイドレール２７がポケット内壁面３１ｂの一般部に比べ若干違和感を与えるものの、仕切りプレート５０の構成を簡素化することができる。
【産業上の利用可能性】
【００３７】
実施例では、ドアライニング１０におけるドアポケット３０に適用したが、リヤサイドライニング、ラゲージサイドライニング等の内装用ライニングにおけるポケット構造全般に適用することができる。更に、本発明に係るドアポケット３０は、ドアライニング本体２０の表面にカバー状に成形されたポケットカバー４０を取り付けて、ドアポケット３０を形成したが、ドアライニング本体２０にポケット用開口を開設し、その背面側にポケットバックカバーを装着してドアポケットを構成するようにしても良い。また、仕切りプレート５０について、ポケットカバー４０の内面に対向する端縁部に差込構造を採用し、ドアライニング本体２０の表面に対向する端縁部にガイド構造を採用したが、差込構造とガイド構造の設定箇所を逆に設定することもできる。
【図面の簡単な説明】
【００３８】
【図１】本発明に係るポケット構造を適用したドアポケットを装備したドアライニングを示す外観図である。
【図２】図１中II−II線断面図である。
【図３】図１に示すドアライニングにおけるドアポケットの概略構成を示すドアライニング本体とポケットカバーとを示す説明図である。
【図４】図１に示すドアライニングにおけるドアポケットを構成するポケットカバーと仕切りプレートとの関係を示す説明図である。
【図５】図１に示すドアライニングにおけるドアポケットに仕切りプレートを差込装着する状態を示す説明図である。
【図６】図１に示すドアライニングのドアポケットにおける仕切りプレートの支持構造を示す断面図である。
【図７】図１に示すドアライニングのドアポケットにおける仕切りプレートの支持構造を示す斜視図である。
【図８】図１に示すドアライニングにおけるドアポケットの仕切りプレートの支持構造を示す断面図である。
【図９】本発明に係るドアポケット構造における仕切りプレートのガイド構造の変形例を示す斜視図である。
【図１０】本発明に係るドアポケット構造における仕切りプレートのガイド構造の変形例を示す断面図である。
【図１１】ドアポケットを備えた従来のドアライニングを示す外観図である。
【図１２】従来のドアポケットにおける仕切りプレートの支持構造を示す断面図である。
【図１３】従来のドアポケットにおける仕切りプレートの支持構造を示す斜視図である。
【符号の説明】
【００３９】
１０  ドアライニング
２０  ドアライニング本体
２１  アームレスト
２２  スイッチユニット
２３  プルハンドル
２４  スピーカグリル
２５  取付孔
２６  凸条
３０  ドアポケット
３０Ａ  カップホルダ用スペース
３０Ｂ  小物入れ用スペース
３１ａ，３１ｂ  ポケット内壁面
４０  ポケットカバー
４１  取付用ボス
４２  取付座
４３  差込孔
５０  仕切りプレート
５０ａ  上縁部
５０ｂ  一方側の端縁部
５０ｃ  他方側の端縁部
５１  プレート本体
５２  波型フランジ
５３  手前側フランジ
５４  差込片
５４ａ  係止爪
５５  カバー部
Ｌ  ポケットの奥行幅寸法
【図１】
2006312340.tif 000003
【図２】
2006312340.tif 000004
【図３】
2006312340.tif 000005
【図４】
2006312340.tif 000006
【図５】
2006312340.tif 000007
【図６】
2006312340.tif 000008
【図７】
2006312340.tif 000009
【図８】
2006312340.tif 000010
【図９】
2006312340.tif 000011
【図１０】
2006312340.tif 000012
【図１１】
2006312340.tif 000013
【図１２】
2006312340.tif 000014
【図１３】
2006312340.tif 000015